(57)【要約】【課題】摩耗頻度の高い箇所と安全性に重要なハンドルを１部品の交換で補修できるように、ホース接続口及びハンドル部及びパイプフック部を一体に備えることで、アフターサービス性と安全性を向上した電気掃除機を提供する。【解決手段】吸引力を発生する電動送風機を備えた掃除機本体と、前記掃除機本体に取付けられ、掃除機本体を保持するためのハンドル部と、ホースを接続するためのホース接続口部と、収納時に延長管を係合することを可能としたパイプフック部が一体の樹脂成形品によって構成されている。【選択図】図４
2020110503.tif 000002
【特許請求の範囲】
【請求項１】
吸引力を発生する電動送風機を備えた掃除機本体と、
前記掃除機本体に取付けられ、掃除機本体を保持するためのハンドル部と、ホースを接続するためのホース接続口部と、収納時に延長管を係合することを可能としたパイプフック部が一体の樹脂成形品によって構成されていることを特徴とする電気掃除機。
【請求項２】
前記パイプフック部は前記掃除機本体の左右方向の中央に配置されていることを特徴とする請求項１に記載の電気掃除機。
【請求項３】
前記パイプフック部の受け部は、前記掃除機本体の前方でホース接続口部の軸線と交差する方向に傾斜を有していることを特徴とする請求項１又は２に記載の電気掃除機。
【発明の詳細な説明】
【技術分野】
【０００１】
本発明は、電気掃除機に関するものである。
【背景技術】
【０００２】
近年、電気掃除機において、操作性のよい小型軽量のものが望まれており、小型軽量化の手法としては、軽量材質の採用や部品点数の削減、樹脂の薄肉化等による方法が考えられる。
特許文献１に記載の電気掃除機では、フロントカバーとハンドルが一体成型され、小型軽量化及び部品点数の削除を可能とする電気掃除機が記載されている。
【先行技術文献】
【特許文献】
【０００３】
【特許文献１】特開２００４−４１５４０号公報
【発明の概要】
【発明が解決しようとする課題】
【０００４】
特許文献１に記載の構造では、ホース接続口、パイプフック部及びハンドルが少なくとも２部品以上の別部品で構成されている。ホース接続口は、ホースの着脱の繰り返し、パイプフック部は延長管の着脱の繰り返しによって、摩耗する恐れがある。また、ハンドルは安全性に対し重要な部品であるが、長期間の使用によって経年劣化してしまう恐れがある。そのため、アフターサービスで補修する場合、各々の部品を個々に交換しなければならず、使用者の補修費用負担が大きくなってしまう。
【０００５】
そこで本発明では、アフターサービス性と安全性を向上した電気掃除機を提供することを目的とする。
【課題を解決するための手段】
【０００６】
本発明は、吸引力を発生する電動送風機を備えた掃除機本体と、前記掃除機本体に取付けられ、掃除機本体を保持するためのハンドル部と、ホースを接続するためのホース接続口部と、収納時に延長管を係合することを可能としたパイプフック部が一体の樹脂成形品によって構成されていることを特徴とする。
【発明の効果】
【０００７】
本発明によれば、摩耗頻度の高い箇所と安全性に対し重要なハンドルを１部品の交換で補修できるように、ホース接続口部、ハンドル部及びパイプフック部を一体に備えることで、ホース接続口部、又は、パイプフック部が摩耗した際に、アフターサービスでホース接続口部を交換することで、一部品の交換でホース接続口部及びパイプフック部を交換することができるとともに、安全性に対して重要なハンドル部も同時に交換することができる。また、ホース接続口部とハンドルとパイプフック部を一体にすることで部品構成数を削減し、生産性を向上した電気掃除機を提供することができる。
【図面の簡単な説明】
【０００８】
【図１】本実施形態に係る電気掃除機の全体を示す外観斜視図である。
【図２】掃除機本体を示す一部分解斜視図である。
【図３】掃除機本体においてダストケースカバーを開けた状態を示す斜視図である。
【図４】掃除機本体の正面図である。
【図５】掃除機本体の背面図である。
【図６】上ケースの平面図である。
【図７】図６のＡ−Ａ線断面において、表示窓部付近を拡大した図である。
【図８】掃除機本体の縦断面図である。
【図９】掃除機本体の収納状態を示す図である。
【発明を実施するための形態】
【０００９】
以下、本発明に係る実施形態について適宜図面を参照して説明するが、本実施形態は以下の内容に限定されるものではなく、本発明の範囲内において適宜変更して実施可能である。
【００１０】
図１は、本実施形態に係る電気掃除機の全体を示す外観斜視図である。
図１に示すように、電気掃除機１は、掃除機本体２、ホース３、操作管４、延長管５、吸込具６、などを備えて構成されている。
【００１１】
ホース３の一端は、掃除機本体２に接続され、他端が操作管４の一端に接続されている。操作管４は、手元操作スイッチなどを備えたグリップ４ａを備えている。延長管５は、外管５ａと内管５ｂとによって伸縮自在に構成されている。
【００１２】
図２は、掃除機本体を示す一部分解斜視図である。
図２に示すように、掃除機本体２は、いわゆる紙パック式のものであり、下ケース１１、上ケース１２、ダストケースカバー１３を備えている。
【００１３】
下ケース１１は、掃除機本体２の下部の外郭（外観）を構成するものであり、ＰＰ（Polypropylene）樹脂などの合成樹脂製の材料（繊維強化していない）で形成されている。また、下ケース１１は、上部が略矩形状に開口した凹部１１ａを有し、吸引力を発生させる電動送風機１５、電動送風機１５を収納するケース１６、コードリール１７、電動送風機１５（図８参照）を制御する制御基板１８などを収容している。また、下ケース１１は、電動送風機１５の吸引力で集塵した塵埃を収容する集塵部１９を有している。
【００１４】
また、下ケース１１は、前後方向の略中央より後側に電動送風機１５、コードリール１７および制御基板１８が配置され、前後方向の略中央より前側に集塵部１９が配置されている。電動送風機１５とコードリール１７は、左右方向に配置されるとともに、右側に電動送風機１５、左側にコードリール１７が配置されている。制御基板１８は、電動送風機１５を収容しているケース１６の上部に配置されている。集塵部１９の上縁部には、環状に蓋パッキン１９ａが取り付けられている。なお、図３では、未使用の紙パック２２が収容された状態を示している。
【００１５】
上ケース１２は、電動送風機１５、コードリール１７および制御基板１８の上側全体を覆う形状であり、下ケース１１に固定する構成であり、ＰＰ（Polypropylene）樹脂などの合成樹脂製の材料（繊維強化していない）で形成されている。また、上ケース１２の上部には、コードリール１７の電源コード１７ｂを巻き取る際に押圧される巻取ボタン２３が設けられている。この巻取ボタン２３は、図示しないバネによって上方に付勢されている。
【００１６】
また、上ケース１２は、接続プラグ１７ｃ（図５参照）が引き出されるプラグ引出口１２ｅを有している。    
【００１７】
ダストケースカバー１３は、掃除機本体２の上部の外郭（外観）の一部を構成するものであり、主に集塵部１９の上部を開閉するものである。また、ダストケースカバー１３は、ＡＢＳ樹脂などの合成樹脂製の材料（繊維強化されていない）で形成されている。また、ダストケースカバー１３は、外面１３ａに凹凸の無い面によって上向きに凸状に形成されている。
【００１８】
図３は、掃除機本体においてダストケースカバーを開けた状態を示す斜視図である。
図３に示すように、ダストケースカバー１３の裏面には、集塵部１９の蓋パッキン１９ａに沿って突出するリブ１３ｂが形成されている。また、ダストケースカバー１３の裏面には、ホース口２１の前端と係合してロックされるロック部材１３ｃが設けられている。
【００１９】
上ケース１２の上部には、ダストケースカバー１３を回動自在に支持するヒンジ部１２ｂが形成されている。ダストケースカバー１３は、鉛直方向上向きとなるまで開放するように構成されている。
【００２０】
集塵部１９は、ホース口２１に形成されたホース接続口部２１ｂと連通するとともに、電動送風機１５（図７参照）が収納される空間とフィルタ１９ｂを介して連通している。
【００２１】
ホース口２１は、本体を持ち運びする際に把持するハンドル部２１ａと、ホース３を接続するためのホース接続口部２１ｂと、掃除機本体を収納する際に延長管５の外管５ａに設けられたフック部５ｃ（図９参照）を係合するパイプフック部２１ｃが一体に形成されている。
【００２２】
図４は、掃除機本体の正面図である。
図４に示すように、パイプフック部２１ｃはホース口２１の中央に配置され、受け部２１ｃ１、ガイドリブ２１ｃ２，２１ｃ２、押さえリブ２１ｃ３，２１ｃ３、底面リブ２１ｃ４から構成されており、受け部２１ｃ１は掃除機本体２の前方でホース接続口部２１ｂの軸線と交差する方向に傾斜を有している。また、下ケース１１へねじ固定するためのねじ挿通孔２１ｄが形成されている。ハンドル部２１ａの外周には、ハンドルを把持した際の握り易さと意匠性を高めるためにハンドル部２１ａに固定されたハンドルカバー２４が設けられている。このようにパイプフック部２１ｃを掃除機本体に対して左右方向の中央に配置することにより、収納状態において付属品を本体の中央に取り付けることができるため、収納状態での重心が左右に偏ることがなく、安定性を向上させることができる。
【００２３】
なお、本実施形態では、紙パック式のものを例に挙げて説明するが、サイクロン式の電気掃除機にも適用することができる。
【００２４】
図５は、掃除機本体の背面図である。
図５に示すように、下ケース１１の後部左右側面には、大径の車輪２０ａ，２０ａが回転自在に取り付けられている。また、下ケース１１の下面には、向きを変えることができる車輪２０ｂが取り付けられている。
【００２５】
下ケース１１の背面には、排気口１１ａが形成され、複数本のスリット状の孔１１ａ１を有し、互いに平行に配置されている。また、排気口１１ａ１は、排気が上方へ排気されるように、水平面から後部上方へ向かって１０度の角度を持った貫通穴で形成されている。ただし、角度はこの限りではない。
【００２６】
図６は、上ケースの平面図である。
図６に示すように、上ケース１２は、前端部と略中央の左右両端および後端部の略中央に、下ケース１１にねじ固定するためのねじ挿通孔１２ｃが形成されている。
【００２７】
また、上ケース１２には、運転モードやお手入れを使用者に知らせるための表示窓部１４ａ，１４ａを有するＬＥＤシート１４が両面テープなどの粘着剤により貼りつけられている。表示窓部１４ａ，１４ａは楕円形状を呈し、透明またはメジウム印刷などにより、光が透過するようにできている。このような構成にすることにより、表示部に透明樹脂部品を配置しなくとも、ＬＥＤの表示を視認することができ、部品点数の削減による、軽量化およびコスト低減を図ることができる。
【００２８】
更に、上ケース１２の略中央部には、上ケース１２の全幅に亘って湾曲したカバー部材２５が取り付けられている。また、カバー部材２５には、意匠性を高めるカザリシート２６が全幅に亘って両面テープなどの粘着剤により貼りつけられている。
【００２９】
図７は、図５のＡ−Ａ線断面において、表示窓部付近を拡大したものである。
図７に示すように、制御基板１８は、運転モードやお手入れを使用者に知らせる発光素子１８ａ，１８ａを有している。また、その上方には、上ケース１２の上面から発光素子１８ａ，１８ａに近づくにつれ開口面積が徐々に大きくなるテーパ状の筒部１２，１２が発光素子１８ａ，１８ａの近傍まで延出しており、上ケース１２の上面の穴部１２ａ２，１２ａ２に表示窓部１４ａ，１４ａが重なり合うように、ＬＥＤシート１４が貼りつけられている。ここで、筒部１２，１２のテーパは樹脂成型上必要な抜きテーパの意味ではなく、３度以上の意図的に設けられたテーパ形状である。これにより、発光素子１８ａ，１８ａから照射された光により、筒部１２ａ，１２ａの内周面１２ａ１，１２ａ１も発光素子１８ａ，１８ａの放つ色に照らされるため、使用者からは表示窓部１４ａ，１４ａに映る光がより濃くはっきりと見えるようになり、様々な距離、角度からの視認性を向上することができる。
【００３０】
カバー部材２５は、ダストケースカバー１３と上ケースの外観面１２ｄとの間に配置され、両者の同面となるよう上ケース１２に固定されている。前述した通り、ダストケースカバー１３はヒンジ部１２により回転軸支され、ダストケースカバー１３の後端部は軌道Ｒを描いて回動するため、軌道Ｒより内側は空間を確保しなければならないが、単に空間を開けてしまうと、ダストケースカバー１３と上ケース外観面１２ｄのすき間Ｌが大きくなり、意匠性を損なってしまう。カバー部材２５は、それらを両立するために設けられ、軌道Ｒを確保しつつ、すき間Ｌを最小限にすることが可能となる。
【００３１】
図８は、掃除機本体の縦断面図である。
図８に示すように、電動送風機１５は、前側を環状の防振ゴム１５ａを介して、下ケースの保持リブ１１ｃ上に設置され、更に円環リブ１１ｄにより、電動送風機１５の開口部１５ｃと集塵室１９が連通するように、密閉されている。また、後側は防振ゴム１５ｂを介して合成樹脂製のケース１６の凹部１６ａにて保持されている。ケース１６は、下ケース１１内に勘合し固定されている。これにより、騒音の発生源となる電動送風機１５の振動を前後の防振ゴムにより制振し、直接本体の外郭へ伝播することを防いでいる。
【００３２】
ケース１６の下側後方には前方に向かって低くなる傾斜リブ１１ｂが複数配置されている。また、ケース１６の下側には騒音を低減する吸音材３０を備えており、吸音材３０の一部が傾斜リブ１１ｂに乗り上げるように置かれている。図５に示すように、下ケース１１の背面には排気口１１ａが有り、電動送風機１５から排気された空気が機体外へ排出されるが、このような構成にすることにより、ケース１６と下ケース１１の間から直接排気口１１ａへ向かう空気の流れを、傾斜リブ１１ｂと吸音材３０により阻害し、本体内を迂回させることにより、騒音を低減することができる。
【００３３】
図９は本体の収納状態を示す図である。
図９に示すように、電気掃除機１に付属品を接続した状態で掃除機本体２を立て、２１ｃにフック部５ｃを係合させることで、付属品を自立させた状態で収納が可能となる。また、受け部２１ｃ２（図４参照）が傾いているため、フック部５ｃを引っ掛け易くできるとともに、収納状態での高さを低くすることができるため、操作性を向上しつつ、コンパクトに収納することができる。
【００３４】
前述の通り、図４に示すようにホース口２１はハンドル部２１ａ及びホース接続口部２１ｂ及びパイプフック部２１ｃから一体で形成している。長期間に亘る使用により、ホース３の着脱によるホース接続口部２１ｂの摩耗、又は、フック部５ｃの着脱によるパイプフック部２１ｃの摩耗による劣化が起こりうる。ホース口２１がハンドル部２１ａ及びホース接続口２１ｂ及びパイプフック部２１ｃで一体成型されていない場合、少なくとも２つ以上の部品から構成されている為、アフターサービスで補修を実施する際に、摩耗している一部品のみの交換しか実施されない。例えば、パイプフック部２１ｃが摩耗し、アフターサービスでパイプフック部２１ｃを交換しても、同様に摩耗しているホース接続口部２１ｂや経年劣化している可能性のあるハンドル部２１ａは交換されない。しかし、ホース口２１がハンドル部２１ａ及びホース接続口部２１ｂ及びパイプフック部２１ｃで一体の樹脂成型品によって構成されている場合は、１つの部品交換で他の劣化した箇所や摩耗箇所も同時に交換することができる。例えば、パイプフック部２１ｃが摩耗し、アフターサービスでパイプフック部２１ｃを交換する際に、ホース口２１全体を交換することになるため、経年劣化している可能性のあるハンドル部２１ａや摩耗しているホース接続口部２１ｂも同時に交換することになる。そのため、使用者は、ハンドル部２１ａ及びホース接続口２１ｂ及びパイプフック部２１ｃを別々に補修する必要がなくなるため、アフターサービス性と安全性を向上することができる。
【００３５】
更には、ホース口２１がハンドル部２１ａ及びホース接続口部２１ｂ及びパイプフック部２１ｃから一体で形成されていることにより、ホース口２１がハンドル部２１ａ及びホース接続口部２１ｂ及びパイプフック部２１ｃで一体成型されていない場合に比べて部品構成数が少なく、生産性を向上させることができる。
【００３６】
本発明は、前記した実施形態に限定されるものではなく、本発明の範囲を変更しない範囲において適宜変更することができる。例えば、本実施形態では、掃除機本体２にコードリール１７を備えた場合を例に挙げて説明したが、コードリール１７を備えない掃除機本体２に適用してもよい。
【００３７】
また、本実施形態では、制御基板１８に発光素子１８ａが一体に構成された場合を例に挙げて説明したが、発光素子１８ａが制御基板１８とは異なる基板上に構成されたものであってもよい。
【００３８】
また、本実施形態では、フック部５ｃが外管５ａに構成された場合を例に挙げて説明したが、内管５ｂや吸口体６に構成されたものであってもよい。
【符号の説明】
【００３９】
１      電気掃除機
２      掃除機本体
３      ホース
５      延長管
５ａ    外管
５ｃ    フック部
１１    下ケース
１２    上ケース
１２ａ  筒部
１３    ダストケースカバー（集塵蓋）
１４    ＬＥＤシート
１４ａ  表示窓部
１５    電動送風機
１５ａ  防振ゴム
１５ｂ  防振ゴム
１６    ケース
１７    コードリール
１８    制御基板
１８ａ  発光素子
１９    集塵部
２０ａ  車輪
２１    ホース口
２１ａ  ハンドル部
２１ｂ  ホース接続口部
２１ｃ  パイプフック部
２１ｃ１受け部
２１ｃ２ガイドリブ
２１ｃ３押さえリブ
２１ｃ４底面リブ
２１ｄ  ねじ挿通孔
２４    ハンドルカバー
【図１】
2020110503.tif 000003
【図２】
2020110503.tif 000004
【図３】
2020110503.tif 000005
【図４】
2020110503.tif 000006
【図５】
2020110503.tif 000007
【図６】
2020110503.tif 000008
【図７】
2020110503.tif 000009
【図８】
2020110503.tif 000010
【図９】
2020110503.tif 000011